(57)【特許請求の範囲】
【請求項１】
金属やプラスチック材などの硬質材で形成される帽体と、前記帽体の内部に配置されるハンモックとを備え、前記ハンモックが、頭頂部から放射状に延出する複数の脚部によって構成され、前記脚部の端部が前記帽体の内周面に取り付けられるヘルメットであって、
前記脚部の前記端部には、前記帽体の前記内周面に設けた掛止用突起を掛止めする掛止用孔部と、前記掛止用突起の拡大部よりも大きな開口とした取り外し用孔部と、前記掛止用孔部と前記取り外し用孔部とをつなぐ溝部と、前記脚部の幅よりも延出させた指掛け部とを設け、
前記脚部の前記帽体側の面であって、前記掛止用孔部、前記取り外し用孔部、及び前記溝部の両側部に沿ってリブが形成され、
前記リブは前記頭頂部の中心に向かって低くなるように傾斜面を構成していることを特徴とするヘルメット。
【請求項２】
前記指掛け部を、前記帽体の前記内周面に沿わせて曲面で構成したことを特徴とする請求項１に記載のヘルメット。
【請求項３】
前記脚部として、前頭部側に配置される一対の前頭側脚部と、後頭部側に配置される一対の後頭側脚部とを備え、
一対の前記前頭側脚部が、前記前頭部側に配置される前頭前側脚部と、耳側に配置される前頭耳側脚部と、前記前頭前側脚部と前記前頭耳側脚部とを連結する橋渡し部とによって構成され、
一対の前記後頭側脚部が、前記後頭部側に配置される後頭後側脚部と、前記耳側に配置される後頭耳側脚部と、前記後頭後側脚部と前記後頭耳側脚部とを連結する橋渡し部とによって構成され、
前記頭頂部の中心から前記前頭前側脚部の前記掛止用孔部までの寸法が、前記頭頂部の前記中心から前記後頭後側脚部の前記掛止用孔部までの寸法よりも長いことを特徴とする請求項１に記載のヘルメット。
【請求項４】
一方の側頭部側に位置する前記前頭耳側脚部の前記掛止用孔部から一方の前記側頭部側に位置する前記後頭耳側脚部の前記掛止用孔部までの寸法が、一方の前記前頭前側脚部の前記掛止用孔部から他方の前記前頭前側脚部の前記掛止用孔部までの寸法よりも長いことを特徴とする請求項３に記載のヘルメット。
【請求項５】
一方の側頭部側に位置する前記前頭耳側脚部の前記掛止用孔部から一方の前記側頭部側に位置する前記後頭耳側脚部の前記掛止用孔部までの寸法が、一方の前記後頭後側脚部の前記掛止用孔部から他方の前記後頭後側脚部の前記掛止用孔部までの寸法よりも長いことを特徴とする請求項３に記載のヘルメット。
【請求項６】
前記脚部には、前記脚部の長手方向に延びる直線状スリットを設け、前記頭頂部には頭頂開口部を設け、前記頭頂開口部の周囲に形成する脚部連結部には、前記頭頂開口部の周方向に延びる円弧状スリットを設けたことを特徴とする請求項１に記載のヘルメット。
【請求項７】
前記直線状スリットを、前記頭頂部の中心と前記掛止用孔部とを結ぶ仮想線上に配置したことを特徴とする請求項６に記載のヘルメット。
【請求項８】
複数の前記直線状スリットを、平行に併設したことを特徴とする請求項６に記載のヘルメット。
【請求項９】
金属やプラスチック材などの硬質材で形成される帽体内に配置され、頭頂部から放射状に延出する複数の脚部によって構成され、前記脚部の端部が前記帽体の内周面に取り付けられるヘルメット用ハンモックであって、
前記脚部の前記端部には、前記帽体の前記内周面に設けた掛止用突起を掛止めする掛止用孔部と、前記掛止用突起の拡大部よりも大きな開口とした取り外し用孔部と、前記掛止用孔部と前記取り外し用孔部とをつなぐ溝部と、前記脚部の幅よりも延出させた指掛け部とを設け、
前記脚部の前記帽体側の面であって、前記掛止用孔部、前記取り外し用孔部、及び前記溝部の両側部に沿ってリブが形成され、
前記リブは前記頭頂部の中心に向かって低くなるように傾斜面を構成していることを特徴とするヘルメット用ハンモック。
【請求項１０】
前記頭頂部に設けた頭頂開口部と、前記頭頂開口部の周囲に形成される脚部連結部と、前記脚部連結部に設けられて前記頭頂開口部の周方向に延びる円弧状スリットと、前記脚部に設けられて前記脚部の長手方向に延びる直線状スリットとを有することを特徴とする請求項９に記載のヘルメット用ハンモック。
【発明の詳細な説明】
【技術分野】
【０００１】
本発明は、例えば、建築、土木、工場、医療、災害、消防、警備などの現場で用いられるヘルメット及びヘルメット用ハンモックに関する。
【背景技術】
【０００２】
従来、安全帽又は保安帽としてのヘルメットは、金属やプラスチック材などの硬質材で形成される帽体と、この帽体の内部に配置される衝撃吸収用のライナーと、このライナーよりも更に頭部側に配置されるハンモックとを備えたものが一般的であり、外部からの衝突に対しては帽体が頭部を保護するとともに、ライナーやハンモックによって頭部への衝撃を緩和している。
本出願人は、着用者の頭部への装着感を高めるためのハンモックの成型方法を既に提案し（特許文献１）、またハンモックの帽体への装着に関してもいくつかの構成を提案している（特許文献２、特許文献３、特許文献４、特許文献５）。
【先行技術文献】
【特許文献】
【０００３】
【特許文献１】特開２００７−２３１４４５号公報
【特許文献２】特開２００１−１４６６２２号公報
【特許文献３】特開２００２−１０５７３６号公報
【特許文献４】特開２００９−１３５４９号公報
【特許文献５】特開２００９−６８１５１号公報
【発明の概要】
【発明が解決しようとする課題】
【０００４】
特許文献１の方法によって成型したヘルメットでは、特に頭頂部の曲面形状を実現することで、着用者の頭部へのフィット感を高めることができる。
しかし、ヘルメットの長時間の着用によっても頭部への違和感を生じることがなく、かぶり心地を更に向上させることが望まれている。
一方、特許文献２から５におけるヘルメットでは、ハンモックの装脱着が可能で、かつ不用意な外れを防止できる。
しかし、取扱説明書などに頼ることなく、使用者が構成を見ただけで取り外し方法を把握でき、簡便に取り外しができるとともに、ハンモックの装脱着のための構成を更に簡素化する必要性がある。
特に、ハンモックは頭部に直接接するために、近年では衛生面からもハンモックの取り替えやすさが望まれている。
【０００５】
そこで本発明は、ヘルメットの長時間の着用によっても頭部への違和感を生じることがなく、かぶり心地を更に向上させることができるヘルメット及びヘルメット用ハンモックを提供することを目的とする。
また本発明は、使用者が構成を見ただけで取り外し方法を把握でき、簡便に取り外しができるとともに、ハンモックの装脱着のための構成が更に簡素であるヘルメット及びヘルメット用ハンモックを提供することを目的とする。
【課題を解決するための手段】
【０００６】
請求項１記載の本発明のヘルメットは、金属やプラスチック材などの硬質材で形成される帽体と、前記帽体の内部に配置されるハンモックとを備え、前記ハンモックが、頭頂部から放射状に延出する複数の脚部によって構成され、前記脚部の端部が前記帽体の内周面に取り付けられるヘルメットであって、前記脚部の前記端部には、前記帽体の前記内周面に設けた掛止用突起を掛止めする掛止用孔部と、前記掛止用突起の拡大部よりも大きな開口とした取り外し用孔部と、前記掛止用孔部と前記取り外し用孔部とをつなぐ溝部と、前記脚部の幅よりも延出させた指掛け部とを設け、前記脚部の前記帽体側の面であって、前記掛止用孔部、前記取り外し用孔部、及び前記溝部の両側部に沿ってリブが形成され、前記リブは前記頭頂部の中心に向かって低くなるように傾斜面を構成していることを特徴とする。
請求項２記載の本発明は、請求項１に記載のヘルメットにおいて、前記指掛け部を、前記帽体の前記内周面に沿わせて曲面で構成したことを特徴とする。
請求項３記載の本発明は、請求項１に記載のヘルメットにおいて、前記脚部として、前頭部側に配置される一対の前頭側脚部と、後頭部側に配置される一対の後頭側脚部とを備え、一対の前記前頭側脚部が、前記前頭部側に配置される前頭前側脚部と、耳側に配置される前頭耳側脚部と、前記前頭前側脚部と前記前頭耳側脚部とを連結する橋渡し部とによって構成され、一対の前記後頭側脚部が、前記後頭部側に配置される後頭後側脚部と、前記耳側に配置される後頭耳側脚部と、前記後頭後側脚部と前記後頭耳側脚部とを連結する橋渡し部とによって構成され、前記頭頂部の中心から前記前頭前側脚部の前記掛止用孔部までの寸法が、前記頭頂部の中心から前記後頭後側脚部の前記掛止用孔部までの寸法よりも長いことを特徴とする。
請求項４記載の本発明は、請求項３に記載のヘルメットにおいて、一方の側頭部側に位置する前記前頭耳側脚部の前記掛止用孔部から一方の前記側頭部側に位置する前記後頭耳側脚部の前記掛止用孔部までの寸法が、一方の前記前頭前側脚部の前記掛止用孔部から他方の前記前頭前側脚部の前記掛止用孔部までの寸法よりも長いことを特徴とする。
請求項５記載の本発明は、請求項３に記載のヘルメットにおいて、一方の側頭部側に位置する前記前頭耳側脚部の前記掛止用孔部から一方の前記側頭部側に位置する前記後頭耳側脚部の前記掛止用孔部までの寸法が、一方の前記後頭後側脚部の前記掛止用孔部から他方の前記後頭後側脚部の前記掛止用孔部までの寸法よりも長いことを特徴とする。
請求項６記載の本発明は、請求項１に記載のヘルメットにおいて、前記脚部には、前記脚部の長手方向に延びる直線状スリットを設け、前記頭頂部には頭頂開口部を設け、前記頭頂開口部の周囲に形成する脚部連結部には、前記頭頂開口部の周方向に延びる円弧状スリットを設けたことを特徴とする。
請求項７記載の本発明は、請求項６に記載のヘルメットにおいて、前記直線状スリットを、前記頭頂部の中心と前記掛止用孔部とを結ぶ仮想線上に配置したことを特徴とする。
請求項８記載の本発明は、請求項６に記載のヘルメットにおいて、複数の前記直線状スリットを、平行に併設したことを特徴とする。
請求項９記載の本発明のヘルメット用ハンモックは、金属やプラスチック材などの硬質材で形成される帽体内に配置され、頭頂部から放射状に延出する複数の脚部によって構成され、前記脚部の端部が前記帽体の内周面に取り付けられるヘルメット用ハンモックであって、前記脚部の前記端部には、前記帽体の前記内周面に設けた掛止用突起を掛止めする掛止用孔部と、前記掛止用突起の拡大部よりも大きな開口とした取り外し用孔部と、前記掛止用孔部と前記取り外し用孔部とをつなぐ溝部と、前記脚部の幅よりも延出させた指掛け部とを設け、前記脚部の前記帽体側の面であって、前記掛止用孔部、前記取り外し用孔部、及び前記溝部の両側部に沿ってリブが形成され、前記リブは前記頭頂部の中心に向かって低くなるように傾斜面を構成していることを特徴とする。
請求項１０記載の本発明は、請求項９に記載のヘルメット用ハンモックにおいて、前記頭頂部に設けた頭頂開口部と、前記頭頂開口部の周囲に形成される脚部連結部と、前記脚部連結部に設けられて前記頭頂開口部の周方向に延びる円弧状スリットと、前記脚部に設けられて前記脚部の長手方向に延びる直線状スリットとを有することを特徴とする。
【発明の効果】
【０００７】
本発明によれば、直線状スリットによって脚部の柔軟性を高めることができ、千差万別な頭部の形状に対して柔軟にフィットするために長期着用による頭部への痛みを緩和することができる。
また、本発明によれば、頭部との接触が最も多い頭頂部でのフィット感を高めるとともに、脚部の柔軟性向上にも寄与することができる。
また、本発明によれば、指掛け部が帽体の周辺に位置するため、使用者が指を引っかけて引っ張ることを想到しやすく、ハンモックの取り外しを容易に行うことができる。
【図面の簡単な説明】
【０００８】
【図１】本発明の一実施例によるヘルメットの一部断面側面図
【図２】同ヘルメットの底面図
【図３】同ヘルメットに用いるハンモックの平面図
【図４】同ハンモックの端部を示す要部平面図
【図５】図４の上面図
【図６】同ハンモックの端部を示す要部斜視図
【図７】同ハンモックの帽体側から見た端部を示す要部斜視図
【図８】同ハンモックの端部が帽体の内周面に設けた掛止用突起と掛止め状態にある断面図
【図９】同ハンモックの端部が帽体の内周面に設けた掛止用突起と取り外し直前の状態にある断面図
【図１０】本発明の他の実施例によるヘルメットのハンモックの装着状態を示す一部断面上面図
【図１１】同ヘルメットにライナーを取り付けた状態を示す一部断面上面図
【図１２】同ヘルメットのハンモック取り外し状態を示す要部斜視図
【図１３】本発明の他の実施例によるヘルメットに用いるハンモックの端部を示す要部平面図
【図１４】同ハンモックの端部の断面図
【図１５】本発明の更に他の実施例によるヘルメットに用いるハンモックの端部を示す要部平面図
【図１６】同ハンモックの端部の断面図
【図１７】本発明の更に他の実施例によるヘルメットに用いるハンモックの平面図
【発明を実施するための形態】
【０００９】
本発明の第１の実施の形態によるヘルメットは、脚部の端部には、帽体の内周面に設けた掛止用突起を掛止めする掛止用孔部と、掛止用突起の拡大部よりも大きな開口とした取り外し用孔部と、掛止用孔部と取り外し用孔部とをつなぐ溝部と、脚部の幅よりも延出させた指掛け部とを設け、脚部の帽体側の面であって、掛止用孔部、取り外し用孔部、及び溝部の両側部に沿ってリブが形成され、リブは頭頂部の中心に向かって低くなるように傾斜面を構成しているものである。本実施の形態によれば、指掛け部が帽体の周辺に位置するため、使用者が指を引っかけて引っ張ることを想到しやすく、ハンモックの取り外しを容易に行うことができる。また、傾斜面を構成するリブによって、さらにハンモックの装脱着を容易に行うことができる。
本発明の第２の実施の形態は、第１の実施の形態によるヘルメットにおいて、指掛け部を、帽体の内周面に沿わせて曲面で構成したものである。本実施の形態によれば、帽体とハンモックとの馴染みがよくなり、結果として頭部へのフィット感を高めることができる。
本発明の第３の実施の形態は、第１の実施の形態によるヘルメットにおいて、脚部として、前頭部側に配置される一対の前頭側脚部と、後頭部側に配置される一対の後頭側脚部とを備え、一対の前頭側脚部が、前頭部側に配置される前頭前側脚部と、耳側に配置される前頭耳側脚部と、前頭前側脚部と前頭耳側脚部とを連結する橋渡し部とによって構成され、一対の後頭側脚部が、後頭部側に配置される後頭後側脚部と、耳側に配置される後頭耳側脚部と、後頭後側脚部と後頭耳側脚部とを連結する橋渡し部とによって構成され、頭頂部の中心から前頭前側脚部の掛止用孔部までの寸法が、頭頂部の中心から後頭後側脚部の掛止用孔部までの寸法よりも長いものである。本実施の形態によれば、前頭部側に配置される脚部を後頭部側に配置される脚部よりも長くすることで、前頭部側が高くなるような傾斜ができるため、前頭部の圧迫感を解消でき、側頭部でのフィット感を高めることができる。
本発明の第４の実施の形態は、第３の実施の形態によるヘルメットにおいて、一方の側頭部側に位置する前頭耳側脚部の掛止用孔部から一方の側頭部側に位置する後頭耳側脚部の掛止用孔部までの寸法が、一方の前頭前側脚部の掛止用孔部から他方の前頭前側脚部の掛止用孔部までの寸法よりも長いものである。本実施の形態によれば、側頭部での圧迫感を解消でき、前頭部と後頭部とによるフィット感を高めることができる。
本発明の第５の実施の形態は、第３の実施の形態によるヘルメットにおいて、一方の側頭部側に位置する前頭耳側脚部の掛止用孔部から一方の側頭部側に位置する後頭耳側脚部の掛止用孔部までの寸法が、一方の後頭後側脚部の掛止用孔部から他方の後頭後側脚部の掛止用孔部までの寸法よりも長いものである。本実施の形態によれば、側頭部での圧迫感を解消でき、前頭部と後頭部とによるフィット感を高めることができる。
本発明の第６の実施の形態は、第１の実施の形態によるヘルメットにおいて、脚部には、脚部の長手方向に延びる直線状スリットを設け、頭頂部には頭頂開口部を設け、頭頂開口部の周囲に形成する脚部連結部には、頭頂開口部の周方向に延びる円弧状スリットを設けたものである。本実施の形態によれば、この直線状スリットによって脚部の柔軟性を高めることができ、千差万別な頭部の形状に対して柔軟にフィットするために長期着用による頭部への痛みを緩和することができる。なお、脚部の柔軟性を高める上では脚部の本数を増やす方法もあるが、脚部の本数を増やすと帽体への装脱着が煩わしくなるため、直線状スリットによる柔軟性の向上は帽体への装脱着の容易性にも適している。また、頭部との接触が最も多い頭頂部でのフィット感を高めるとともに、脚部の柔軟性向上にも寄与することができる。
本発明の第７の実施の形態は、第６の実施の形態によるヘルメットにおいて、直線状スリットを、頭頂部の中心と掛止用孔部とを結ぶ仮想線上に配置したものである。本実施の形態によれば、脚部の曲面方向への柔軟性を高めることができる。
本発明の第８の実施の形態は、第６の実施の形態によるヘルメットにおいて、複数の直線状スリットを、平行に併設したものである。本実施の形態によれば、複数本の直線状スリットによって脚部の曲面方向への柔軟性を更に高めることができる。
本発明の第９の実施の形態によるヘルメット用ハンモックは、脚部の端部には、帽体の内周面に設けた掛止用突起を掛止めする掛止用孔部と、掛止用突起の拡大部よりも大きな開口とした取り外し用孔部と、掛止用孔部と取り外し用孔部とをつなぐ溝部と、脚部の幅よりも延出させた指掛け部とを設け、脚部の帽体側の面であって、掛止用孔部、取り外し用孔部、及び溝部の両側部に沿ってリブが形成され、リブは頭頂部の中心に向かって低くなるように傾斜面を構成しているものである。本実施の形態によれば、指掛け部が帽体の周辺に位置するため、使用者が指を引っかけて引っ張ることを想到しやすく、ハンモックの取り外しを容易に行うことができる。また、傾斜面を構成するリブによって、さらにハンモックの装脱着を容易に行うことができる。
本発明の第１０の実施の形態は、第９の実施の形態によるヘルメット用ハンモックにおいて、頭頂部に設けた頭頂開口部と、頭頂開口部の周囲に形成される脚部連結部と、脚部連結部に設けられて頭頂開口部の周方向に延びる円弧状スリットと、脚部に設けられて脚部の長手方向に延びる直線状スリットとを有するものである。本実施の形態によれば、この直線状スリットによって脚部の柔軟性を高めることができ、千差万別な頭部の形状に対して柔軟にフィットするために長期着用による頭部への痛みを緩和することができる。また本実施の形態によれば、頭部との接触が最も多い頭頂部でのフィット感を高めるとともに、脚部の柔軟性向上にも寄与することができる。
【実施例】
【００１０】
以下本発明の実施例について図面とともに詳細に説明する。
図１は本発明の一実施例によるヘルメットの一部断面側面図、図２は同ヘルメットの底面図、図３は同ヘルメットに用いるハンモックの平面図、図４は同ハンモックの端部を示す要部平面図、図５は図４の上面図、図６は同ハンモックの端部を示す要部斜視図、図７は同ハンモックの帽体側から見た端部を示す要部斜視図、図８は同ハンモックの端部が帽体の内周面に設けた掛止用突起と掛止め状態にある断面図、図９は同ハンモックの端部が帽体の内周面に設けた掛止用突起と取り外し直前の状態にある断面図である。
図１及び図２に示すように、ヘルメット１０は、金属やプラスチック材などの硬質材で形成される帽体１１と、この帽体１１の内部に設けられた衝撃吸収用のライナー２０と、このライナー２０よりも更に頭部側に配置されるハンモック３０と、装着者の頭部周囲を囲繞するヘッドバンド１２とを備えている。ハンモック３０は、プラスチック成型品であり、例えば合成樹脂を用いて射出成型による一体成形によって構成される。帽体１１の両側部には、装着者側に延出させた顎ひも４０を有し、帽体１１の前頭部側には、装着者の視野方向に向けてシールド１３を有している。なお、ヘッドバンド１２には、装着者の頭部に合わせてサイズを変更できるサイズ調整機能を備え、このサイズ調整機能は頭部側に配置される。
ハンモック３０は、頭頂部から放射状に延出する複数の脚部３１によって構成され、脚部３１の端部は帽体１１の内周面に取り付けられる。なお、脚部３１の端部の帽体１１内周面への取り付けは、直接取り付けられる場合もあるが、部材を介して間接的に取り付けられる場合もある。
【００１１】
次に、図３を用いてハンモックの構成について説明する。
ハンモック３０を構成する脚部３１は、前頭部側に配置される一対の前頭側脚部３１ＦＲ、３１ＦＬと、後頭部側に配置される一対の後頭側脚部３１ＲＲ、３１ＲＬとから構成されている。
一対の前頭側脚部３１ＦＲ、３１ＦＬは、前頭部側に配置される前頭前側脚部３１ＦＲＦ、３１ＦＬＦと、耳側に配置される前頭耳側脚部３１ＦＲＥ、３１ＦＬＥと、前頭前側脚部３１ＦＲＦ、３１ＦＬＦと前頭耳側脚部３１ＦＲＥ、３１ＦＬＥとを連結する橋渡し部３２とによって構成されている。
また一対の後頭側脚部３１ＲＲ、３１ＲＬは、後頭部側に配置される後頭後側脚部３１ＲＲＲ、３１ＲＬＲと、耳側に配置される後頭耳側脚部３１ＲＲＥ、３１ＲＬＥと、後頭後側脚部３１ＲＲＲ、３１ＲＬＲと後頭耳側脚部３１ＲＲＥ、３１ＲＬＥとを連結する橋渡し部３２とによって構成されている。
また、それぞれの橋渡し部３２には、ヘッドバンド１２への取付片３３が設けられている。
それぞれの脚部３１には、脚部３１の長手方向に延びる直線状スリット３４Ａを設けている。これらの直線状スリット３４Ａは、頭頂部３５の中心Ｍと掛止用孔部３６Ａとを結ぶ仮想線上に配置している。直線状スリット３４Ａによって脚部３１の柔軟性を高めることができ、千差万別な頭部の形状に対して柔軟にフィットさせることができる。特に、直線状スリット３４Ａを、頭頂部３５の中心Ｍと掛止用孔部３６Ａとを結ぶ仮想線上に配置することで、脚部３１の曲面方向への柔軟性を高めることができる。
また、ハンモック３０の頭頂部３５には頭頂開口部３５Ａを設け、頭頂開口部３５Ａの周囲に形成する脚部連結部３５Ｂには、頭頂開口部３５Ａの周方向に延びる円弧状スリット３４Ｂを設けている。円弧状スリット３４Ｂによって、頭部との接触が最も多い頭頂部３５でのフィット感を高めるとともに、脚部３１の柔軟性向上にも寄与することができる。
【００１２】
前頭前側脚部３１ＦＲＦ、３１ＦＬＦにおける、頭頂部３５の中心Ｍから掛止用孔部３６Ａまでの寸法ＦＬは、後頭後側脚部３１ＲＲＲ、３１ＲＬＲにおける、頭頂部３５の中心Ｍからの掛止用孔部３６Ａまでの寸法ＲＬよりも長くしている。このように、前頭部側に配置される前頭前側脚部３１ＦＲＦ、３１ＦＬＦの寸法ＦＬを後頭部側に配置される後頭後側脚部３１ＲＲＲ、３１ＲＬＲの寸法ＲＬよりも長くすることで、前頭部側が高くなるような傾斜ができるため、前頭部の圧迫感を解消でき、側頭部でのフィット感を高めることができる。
また、一方の側頭部側に位置する前頭耳側脚部３１ＦＲＥの掛止用孔部３６Ａから後頭耳側脚部３１ＲＲＥの掛止用孔部３６Ａまでの寸法Ｓ、及び他方の側頭部側に位置する前頭耳側脚部３１ＦＬＥの掛止用孔部３６Ａから後頭耳側脚部３１ＲＬＥの掛止用孔部３６Ａまでの寸法Ｓが、一方の前頭前側脚部３１ＦＲＦの掛止用孔部３６Ａから他方の前頭前側脚部３１ＦＬＦの掛止用孔部３６Ａまでの寸法Ｆよりも長くしている。このように、寸法Ｓを寸法Ｆよりも長くすることで、側頭部での圧迫感を解消でき、前頭部と後頭部とによるフィット感を高めることができる。
また、一方の側頭部側に位置する前頭耳側脚部３１ＦＲＥの掛止用孔部３６Ａから後頭耳側脚部３１ＲＲＥの掛止用孔部３６Ａまでの寸法Ｓ、及び他方の側頭部側に位置する前頭耳側脚部３１ＦＬＥの掛止用孔部３６Ａから後頭耳側脚部３１ＲＬＥの掛止用孔部３６Ａまでの寸法Ｓが、一方の後頭後側脚部３１ＲＲＦの掛止用孔部３６Ａから他方の後頭後側脚部３１ＲＬＦの掛止用孔部３６Ａまでの寸法Ｒよりも長くしている。このように、寸法Ｓを寸法Ｒよりも長くすることで、側頭部での圧迫感を解消でき、前頭部と後頭部とによるフィット感を高めることができる。
【００１３】
次に、図４から図９を用いてハンモック端部に構成する掛け具について説明する。
脚部３１の端部には、帽体１１の内周面に設けた掛止用突起１１Ａを掛止めする掛止用孔部３６Ａと、掛止用突起１１Ａの拡大部よりも大きな開口とした取り外し用孔部３６Ｂと、掛止用孔部３６Ａと取り外し用孔部３６Ｂとをつなぐ溝部３６Ｃと、脚部３１の幅よりも延出させた指掛け部３７とを設けている。脚部３１の端部の両側方に延出させた指掛け部３７を設けることで、帽体１１の周辺に位置する指掛け部３７に使用者が指を引っかけて引っ張ることを想到しやすく、ハンモック３０の取り外しを容易に行うことができる。
掛止用孔部３６Ａ、取り外し用孔部３６Ｂ、及び溝部３６Ｃは、凹部３６Ｅに形成されている。この凹部３６Ｅによって、掛止用突起１１Ａを掛止用孔部３６Ａに掛止めした状態でも、掛止用突起１１Ａの拡大部が凹部３６Ｅ内に収まる。
図５に示すように、指掛け部３７は、帽体１１の内周面に沿わせて曲面で構成している。このように、指掛け部３７を湾曲させることで、帽体１１とハンモック３０の端部との馴染みがよくなり、結果として頭部へのフィット感を高めることができる。
図７に示すように、脚部３１の端部の帽体１１側の面には、取り外し用孔部３６Ｂの両側部に沿ってリブ３６Ｆが形成されている。このリブ３６Ｆは中心Ｍに向かって低くなるように傾斜面を構成している。この傾斜面を構成するリブ３６Ｆによって、ハンモック３０の装脱着を容易に行うことができる。
図８は、掛止用突起１１Ａが掛止用孔部３６Ａに位置して掛止め状態にあり、図９は掛止用突起１１Ａが取り外し用孔部３６Ｂに位置して取り外し直前の状態にあることを示している。掛止め状態にあるときは、図８に示すように、ハンモック３０の端部に位置する指掛け部３７は帽体１１周縁よりも内側に位置し、取り外し直前の状態にあるときは、図９に示すように、ハンモック３０の端部に位置する指掛け部３７は帽体１１周縁よりも外側に突出して位置する。このように、掛止め状態にあるときは、指掛け部３７は帽体１１周縁よりも内側に位置させることで、不用意な接触によってハンモック３０が帽体１１から外れることを防止できるとともに、取り外し直前の状態にあるときは、指掛け部３７は帽体１１周縁よりも外側に突出して位置することで取り外しを容易に行うことができる。
【００１４】
以下本発明の他の実施例について説明する。
図１０は本発明の他の実施例によるヘルメットのハンモックの装着状態を示す一部断面上面図、図１１は同ヘルメットにライナーを取り付けた状態を示す一部断面上面図、図１２は同ヘルメットのハンモック取り外し状態を示す要部斜視図である。なお、上記実施例と同一部材には同一符号を付して説明を省略し、上記実施例と相違する構成についてのみ以下に説明する。
本実施例によるハンモック３０は、２本の直線状スリット３４Ａを、平行に併設している。このように平行な複数本の直線状スリット３４Ａによって脚部３１の曲面方向への柔軟性を更に高めることができる。また、頭頂開口部３５Ａの周囲に形成する脚部連結部３５Ｂには、２本の円弧状スリット３４Ｂを、平行に併設している。このように平行な複数本の円弧状スリット３４Ｂによって、頭部との接触が最も多い頭頂部３５でのフィット感を高めるとともに、脚部３１の柔軟性向上にも寄与することができる。
また、本実施例によるハンモック３０の橋渡し部３２は、図１０に示すようにライナー止め片３８を設けている。
一方、ライナー２０は、図１１に示すように、前頭部側ライナー２０Ａと後頭部側ライナー２０Ｂとに分割された構成となっており、また前頭部側ライナー２０Ａ及び後頭部側ライナー２０Ｂにはそれぞれ係止孔２１を備えている。
本実施例によるライナー２０は、係止孔２１によってハンモック３０に取り付けられるが、前頭部側ライナー２０Ａと後頭部側ライナー２０Ｂとに分割されていることで頭部へのフィット感が高まる。
また、図１２に示すように、本実施例においては、掛止用孔部３６Ａ、取り外し用孔部３６Ｂ、及び溝部３６Ｃの形状が上記実施例と異なるが、溝部３６Ｃを挟んで脚部３１の端部側に掛止用孔部３６Ａ、脚部３１の反端部側に取り外し用孔部３６Ｂをそれぞれ配置している点で上記実施例と同一の機能を奏する。また、掛止用突起１１Ａの拡大部についても、本実施例に示すように平面視で半円状であってもよく、その他角状、その他の形状であってもよい。
【００１５】
次に、図１３及び図１４を用いてハンモック端部に構成する掛け具の他の実施例について説明する。図１３は同ハンモックの端部を示す要部平面図、図１４は図１３の断面図である。なお、他の構成は上記実施例と同様であるので説明を省略する。
脚部３１の端部には、帽体１１の内周面に設けた掛止用突起１１Ａを掛止めする掛止用孔部３６Ａと、掛止用突起１１Ａの拡大部よりも大きな開口とした取り外し用孔部３６Ｂと、掛止用孔部３６Ａと取り外し用孔部３６Ｂとをつなぐ溝部３６Ｃと、掛止用孔部３６Ａよりも外方向に形成した指掛け部３７Ａとを設けている。指掛け部３７Ａは指を挿入可能な孔によって構成されている。指掛け部３７Ａを設けることで、帽体１１の周辺に位置する指掛け部３７Ａに使用者が指を引っかけて引っ張ることを想到しやすく、ハンモック３０の取り外しを容易に行うことができる。
次に、図１５及び図１６を用いてハンモック端部に構成する掛け具の更に他の実施例について説明する。図１５は同ハンモックの端部を示す要部平面図、図１６は図１５の断面図である。なお、他の構成は上記実施例と同様であるので説明を省略する。
脚部３１の端部には、帽体１１の内周面に設けた掛止用突起１１Ａを掛止めする掛止用孔部３６Ａと、掛止用突起１１Ａの拡大部よりも大きな開口とした取り外し用孔部３６Ｂと、掛止用孔部３６Ａと取り外し用孔部３６Ｂとをつなぐ溝部３６Ｃと、掛止用孔部３６Ａよりも外方向に形成した指掛け部３７Ｂとを設けている。指掛け部３７Ｂは指が引っかかる程度の高さの凸部によって構成されている。指掛け部３７Ｂを設けることで、帽体１１の周辺に位置する指掛け部３７Ｂに使用者が指を引っかけて引っ張ることを想到しやすく、ハンモック３０の取り外しを容易に行うことができる。
【００１６】
次に、図１７を用いてハンモック端部に構成する掛け具の更に他の実施例について説明する。図１７は本発明の更に他の実施例によるヘルメットに用いるハンモックの平面図である。なお、他の構成は上記実施例と同様であるので説明を省略する。
本実施例による脚部３１の端部には、近接する脚部３１同士、すなわち、前頭前側脚部３１ＦＲＦと前頭耳側脚部３１ＦＲＥ、前頭前側脚部３１ＦＬＦと前頭耳側脚部３１ＦＬＥ、後頭後側脚部３１ＲＲＲと後頭耳側脚部３１ＲＲＥ、後頭後側脚部３１ＲＬＲと後頭耳側脚部３１ＲＬＥ、をそれぞれ連接する指掛け部３７Ｃを設けている。指掛け部３７Ｃは、近接する脚部３１同士を連接することで脚部３１の幅よりも延出させた構成となっている。脚部３１の端部の一方側に延出させた指掛け部３７Ｃによって近接する脚部３１同士を連接することで、帽体１１の周辺に位置する指掛け部３７に使用者が指を引っかけて引っ張ることを想到しやすく、ハンモック３０の取り外しを容易に行うことができる。特に近接する脚部３１を一度の引っ張り作業によって取り外しが行えるため、取り外しの作業性に優れている。
【産業上の利用可能性】
【００１７】
本発明のヘルメットは、建築作業や土木作業などの工事現場における頭部保護用のヘルメット、オートバイなどの車両用のヘルメット、火災や地震などの震災時における頭部防護用のヘルメットに利用することができる。
【符号の説明】
【００１８】
１０  ヘルメット
１１  帽体
１２  ヘッドバンド
２０  ライナー
３０  ハンモック
３１  脚部
３２  橋渡し部
３４Ａ  直線状スリット
３４Ｂ  円弧状スリット
３５  頭頂部
３５Ａ  頭頂開口部
３５Ｂ  脚部連結部
３６Ａ  掛止用孔部
３６Ｂ  取り外し用孔部
３６Ｃ  溝部
３７  指掛け部
４０  顎ひも
【図１】
0005566644.tif 000002
【図２】
0005566644.tif 000003
【図３】
0005566644.tif 000004
【図４】
0005566644.tif 000005
【図５】
0005566644.tif 000006
【図６】
0005566644.tif 000007
【図７】
0005566644.tif 000008
【図８】
0005566644.tif 000009
【図９】
0005566644.tif 000010
【図１０】
0005566644.tif 000011
【図１１】
0005566644.tif 000012
【図１２】
0005566644.tif 000013
【図１３】
0005566644.tif 000014
【図１４】
0005566644.tif 000015
【図１５】
0005566644.tif 000016
【図１６】
0005566644.tif 000017
【図１７】
0005566644.tif 000018